(57)【要約】  【課題】  様々な使用状態において良好な受信品質を確保できるとともに、小型化が可能な内蔵アンテナを備えた携帯端末機器を提供する。  【解決手段】  テレビ放送受信用の第１アンテナ４１と通信優先の第２アンテナ４２を混載するとともに、テレビ放送受信用の外部アンテナ４３を接続可能なＴＶ機能内蔵の折畳式の携帯電話機であって、外部アンテナ４３が電気的に接続されていない状態では、第１アンテナ４１と第２アンテナ４２の何れか一方を選択または同時に用いてテレビ放送を受信する。【選択図】  図１
2007074491.tif 000002
【特許請求の範囲】
【請求項１】
放送受信用の第１アンテナと、放送受信および通信送受信可能に構成される第２アンテナと、放送受信用の外部アンテナとを備え、異なる無線方式により通信と放送受信とを行う携帯端末機器であって、
前記外部アンテナが電気的に接続されていない状態では、前記第１アンテナと前記第２アンテナの何れか一方を選択または同時に用いて前記放送受信を行う携帯端末機器。
【請求項２】
前記第２アンテナは、前記通信用の給電手段ととともに前記放送受信用の給電手段を有する請求項１に記載の携帯端末機器。
【請求項３】
前記通信を行う際に、通信状態があらかじめ設定した状態よりも悪い場合には、前記第２アンテナを前記通信に使用するとともに、通信状態があらかじめ設定した状態よりも良好な場合には、前記第２アンテナを前記放送受信に使用するための選択手段を備えた請求項１に記載の携帯端末機器。
【請求項４】
第１筐体及び第２筐体と、前記第１、第２筐体を折畳可能に連結する連結部とを備えた折畳構造を有し、
前記第１、第２筐体を折畳んだ状態の時に、前記第２アンテナはループアンテナを構成する請求項１〜３のいずれか１項に記載の携帯端末機器。
【発明の詳細な説明】
【技術分野】
【０００１】
本発明は、放送受信用のアンテナを搭載した放送受信機能付きの携帯電話機等の携帯端末機器に関する。
【背景技術】
【０００２】
近年、例えばアナログテレビジョン放送用チューナを搭載した携帯電話機が発売されている。更に、移動体（携帯端末機器）向けの１セグメント地上デジタルテレビ放送が開始される予定である。このため、鮮明な画質、迫力のある大型表示装置を備えた携帯電話機が市場から要望されている。その一方で、コンパクトな形状の携帯電話機も市場から要望されている。
【０００３】
このように、携帯電話機にテレビジョン放送（以下、「テレビ放送」と略す）用の受信機能を付加したことにより、テレビ放送受信用のアンテナも新たに必要となっている。従来のテレビ放送受信機能(以下、「ＴＶ機能」と略す)付き携帯電話機に搭載されたテレビ放送受信用アンテナとしては、例えば図７に示すように、上部筐体１０１及び下部筐体１０２が２軸回転構造の連結部１０３で連結された折畳式携帯電話機において、収縮型のホイップアンテナ１０４と外部アンテナであるイヤホンケーブルアンテナ１０５を併用し、特にＵＨＦ帯はホイップアンテナ１０４、ＶＨＦ帯はイヤホンアンテナ１０５を使用するものが知られている。
【０００４】
また、現在は、大型の表示装置を備えることができ、かつ、携帯性に優れたコンパクトな形状を有する携帯端末機器として、上部筐体が下部筐体に対して平行に移動（若しくは旋回）可能なスライド式（若しくは旋回式）の携帯電話機や、上部筐体と下部筐体をヒンジ部で互いに回動可能に連結した折畳式の携帯電話機が主流となってきている。
例えば、スライド式の携帯電話機としては、特許文献１に記載のように、上部筐体にアンテナと高周波部品を配置するとともに、下部筐体に電源とキー等の主要部を配置し、上部筐体と下部筐体が平行方向にスライド（旋回）可能とするようなものが知られている。
【０００５】
また、スライド式の携帯電話機のアンテナとしては、例えば特許文献２に記載のように、下部筐体にアンテナを配置することで、上部筐体の突出部分をなくし、上部筐体の薄型化を可能としたものが知られている。このようなアンテナの場合、テレビ放送視聴の際には、ユーザーが、ホイップアンテナであればそのアンテナを伸長させることが必要であり、またイヤホン型アンテナであればイヤホンを接続する必要がある。
【特許文献１】特開平１１−３３１３３２号公報
【特許文献２】特開２００３−２９８６９５号公報
【発明の開示】
【発明が解決しようとする課題】
【０００６】
しかしながら、上記のようなスライド式の携帯電話機では、ホイップアンテナが筐体内に収納されている場合、アンテナの利得が大幅に低下しアンテナとして機能しない。更に、外部アンテナであるイヤホン型アンテナにイヤホンが接続されていない場合には、テレビ放送を受信できないといった問題点があった。なお、イヤホン型アンテナは、例えば収納のために携帯電話機などに巻き付けられた状態となっていた場合でも、同様に機能しないおそれがある。
【０００７】
本発明は、上記事情に鑑みてなされたもので、様々な使用状態において良好な放送受信品質を確保できるとともに、小型化が可能な内蔵アンテナを備えた携帯端末機器を提供することを目的とする。
【課題を解決するための手段】
【０００８】
本発明の携帯端末機器は、放送受信用の第１アンテナと、放送受信および通信送受信可能に構成される第２アンテナと、放送受信用の外部アンテナとを備え、異なる無線方式により通信と放送受信とを行う携帯端末機器であって、前記外部アンテナが電気的に接続されていない状態では、前記第１アンテナと前記第２アンテナの何れか一方を選択または同時に用いて前記放送受信を行う。上記構成により、例えばテレビ放送などの放送受信に必要なアンテナを確保することができ、良好な受信特性が得られる。
【０００９】
また、前記第２アンテナは、前記通信用の給電手段とともに前記放送受信用の給電手段を有する。上記構成により、通信用と放送受信用でアンテナを共用することが可能となり、テレビ放送などの放送受信に必要なアンテナをさらに別に確保することができ、良好な放送受信特性が得られる。
【００１０】
また、前記通信を行う際に、通信状態があらかじめ設定した状態よりも悪い場合には、前記第２アンテナを前記通信に使用するとともに、通信状態があらかじめ設定した状態よりも良好な場合には、前記第２アンテナを前記放送受信に使用するための選択手段を備えた。上記構成により、通信用とテレビ放送などの放送受信用でアンテナを共用することが可能となり、通信状態があらかじめ設定した状態よりも良好な場合には、放送受信機能に必要なアンテナをさらに別に確保することができ、良好な受信特性が得られる。
【００１１】
また、第１筐体及び第２筐体と、前記第１、第２筐体を折畳可能に連結する連結部とを備えた折畳構造を有し、前記第１、第２筐体を折畳んだ状態の時に、前記第２アンテナはループアンテナを構成する。上記構成により、様々な使用状態において良好な放送受信品質を確保でき、かつ、小型化が可能である。
【発明の効果】
【００１２】
本発明によれば、様々な使用状態において良好な受信品質を確保できるとともに、小型化が可能な内蔵アンテナを備えた携帯端末機器を提供できる。
【発明を実施するための最良の形態】
【００１３】
以下、本発明の実施形態について、添付図面を参照しながら詳細に説明する。
［第１の実施形態］
図１〜図４は、本発明の第１の実施形態に係るＴＶ機能内蔵の折畳式の携帯電話機を示すものであり、この携帯電話機は、筐体部分が、第１筐体（以下、「上部筐体」とよぶ）１及び第２筐体（以下、「下部筐体」とよぶ）２と、これらの上部筐体１及び下部筐体２を開閉可能及び旋回可能に連結する２軸構造の連結部３とを有するものである。また、この携帯電話機には、第１アンテナ４１乃至第４アンテナ４４と、第１給電部５１乃至第５給電部５５と、第１選択スイッチ６１及び第２選択スイッチ６２と、携帯電話部７と、フィルタ８と、テレビ受信部９とを備えている。
【００１４】
このうち、上部筐体１には、図３に示す第１ショート電極１１と、図４に示す液晶表示部１２とのほかに、第２アンテナ４２の一部と、第４アンテナ４４と、第５給電部５５と、携帯電話部７とを備えている。なお、第１ショート電極１１は、第1筐体１及び第２筐体２を閉じたときに、後述する第２ショート電極２１と接触通電することで、前述の第２アンテナ４２の一部と後述する第２アンテナ４２の一部とを電気的に接続する。
【００１５】
一方、下部筐体２には、図３に示す第２ショート電極２１と、図４に示す操作部２２とのほかに、第１のアンテナ４１と、第２アンテナ４２の一部と、第３アンテナ４３と、第１給電部５１乃至第４給電部５４と、フィルタ８と、テレビ受信部９とを備えている。なお、第２ショート電極２１は、第1筐体１及び第２筐体２を閉じたときに、第１ショート電極１１と接触通電することで、上部筐体１内の第２アンテナ４２の一部と下部筐体２内の第２アンテナ４２の一部とを電気的に接続する。
【００１６】
次に、各構成要素の詳細について、図１乃至図３を用いて説明する。
第１アンテナ４１は、図２に示すように、下部筐体２に収納された伸縮型のホイップアンテナであり、第１給電部５１、第１選択スイッチ６１及びフィルタ８を介してテレビ受信部９と接続されており、テレビ放送受信用(専用)アンテナとして使用する。
【００１７】
第２アンテナ４２は、通信優先のアンテナであって、上部筐体１と下部筐体２のそれぞれに収納された２つの導体からなり、第1筐体１及び第２筐体２が開いた「オープン状態」の場合は、ダイポールアンテナやモノポールアンテナなどの電界型アンテナを構成する。一方、第１筐体１及び第２筐体２が閉じた「クローズ状態」及び液晶表示部１２を外部に向けて表示させた状態で閉じた「ビューワ状態」の場合は、第１及び第２ショート電極１１、２１によりループアンテナなどの磁界型アンテナとして動作する。即ち、本実施形態の場合、第２アンテナ４２は、図２に示すように、第２給電部５２、第１選択スイッチ６１及びフィルタ８を介してテレビ受信部９と接続することによりテレビ放送受信用アンテナとして、また、第３給電部５３及び第２選択スイッチ６２を介して携帯電話部７と接続することにより携帯電話用アンテナとして使用することができる。なお、この携帯電話機で用いられる内蔵ダイポールアンテナとしては、上部筐体１内のアンテナ素子を筐体内部の表面に沿って配設するとともに、下部筐体２内のアンテナ素子を回路基板のグランドパターンで構成してもよい。
【００１８】
第３アンテナ４３は、外部アンテナ端子６１Ａを経由して接続されるイヤホン型アンテナであり、本実施形態では、第４給電部５４、第１選択スイッチ６１及びフィルタ８を介してテレビ受信部９と接続されており、テレビ放送受信用(専用)アンテナとして使用する。
【００１９】
第４アンテナ４４は、携帯電話通信用(専用)として第２アンテナ４２以外に設けられたアンテナであり、本実施形態では、例えば携帯電話機で一般的に用いられる内蔵アンテナとして逆Ｆアンテナを用いており、第５給電部５５及び第２選択スイッチ６２を介して携帯電話部７と接続されている。
【００２０】
第１給電部５１は第１アンテナ４１の給電手段、第２給電部５２は第２アンテナ４２の携帯電話用の給電手段、第３給電部５３は第２アンテナ４２のテレビ放送受信用の給電手段、第４給電部５４は第３アンテナ４３の給電手段、第５給電部５５は第４アンテナ４４の給電手段であり、各アンテナと接続される図示しない高周波回路のインピーダンス整合をとっている。
【００２１】
第１選択スイッチ６１は、第1アンテナ４１、第２アンテナ４２、第３アンテナ４３から動作可能なアンテナの信号に切り替えてテレビ受信部９に出力する。第２選択スイッチ６２は、第２アンテナ４２と第４アンテナ４４の信号を切り替えて携帯電話部７に出力する。
【００２２】
次に、本実施形態に係る携帯電話機の使用形態とアンテナとの関係について、図３、図４を用いて説明する。なお、ここでは、受信機能は１セグメント地上デジタルテレビ放送（以下１ｓｅｇ ＤＴＶ）、通信機能はＷ−ＣＤＭＡであるＴＶ機能内蔵の携帯電話機を例に説明する。
本実施形態では、上部筐体１と下部筐体２は２軸ヒンジ構造の連結部３により接続されており、この連結部３により下部筐体２が閉じ動作、開き動作及び回転（旋回）動作が可能な折畳式のテレビ機能内蔵タイプの携帯電話機を例に挙げて説明する。
【００２３】
本実施形態の携帯電話機は、図４（Ａ）に示す上部筐体１と下部筐体２が開いた「オープン状態」と、同図（Ｂ)に示す上部筐体１と下部筐体２が閉じた「クローズ状態」と、同図（Ｃ)に示す上部筐体１を反転させて閉じた「ビューワ状態」の都合３状態が代表的な形態となる。
（Ｉ）図４（Ａ）のようなオープン状態の場合、上部筐体１と下部筐体２に内蔵されたアンテナ導体により、第２アンテナ４２がダイポールアンテナとなり、
（ＩＩ）図４（Ｂ）のようなクローズ状態またはビューワ状態の場合、ショート電極１１、２１は、上部筐体１上部と下部筐体２下部に配置されており、上部筐体１と下部筐体２に内蔵されたアンテナ導体がラッチ状の電極でショートする。このとき、ショート電極１１、２１とアンテナ４２との間が容量結合する。そこで、ラッチされた状態をショート電極１１、２１で電気的に検出することで、オープン状態とクローズ状態およびビューワ状態を検出することも可能である。
【００２４】
第１アンテナ４１であるホイップアンテナは、伸長している場合には良好な利得を示すが、下部筐体２に収納された場合にはアンテナとしての効果を期待できない。
第２アンテナ４２は、上部筐体１と下部筐体２が開いた状態では携帯電話通信との共用となるため、その通信中はテレビ放送受信用のアンテナとして使用できない場合がある。一方、クローズ状態での携帯電話通信には、第４アンテナ４４を使用するようになっており、第２アンテナ４２がテレビ放送受信用のループアンテナとして動作するようになっている。
第３のアンテナ４３は、外部に接続される脱着可能なイヤホン型アンテナであり、外部アンテナを構成しており、携帯電話機の外部アンテナ端子６１Ａから外されているときには、（テレビ放送受信用）アンテナとしての機能は全くない。
【００２５】
ここで、それぞれの使用形態と使用するアンテナとの組み合わせを、図５に示す。この図５に示す表の組み合わせであれば、全ての状態で必ず１つ以上の選択可能なアンテナが存在することになる。これら、アンテナのなかでもっとも受信に適したアンテナを選択することで安定した受信を行うことができる。
【００２６】
次に、本実施形態に係るアンテナを選択する手段について説明する。
１ｓｅｇ ＤＴＶでは、ＯＦＤＭ（Orthogonal Frequency Division Multiplexing直交周波数分割多重）変調による連続した信号であり、受信中に任意タイミングでアンテナを物理的に切り換えると、受信信号の連続性が保証できなくなり、画像品質の低下を招く可能性が高い。
【００２７】
そこで、本実施形態では、図４に示すように、オープン、クローズ、ビューワなどの使用する状態に対して、テレビ放送受信用アンテナの優先順位付けを行い、アンテナを切り替えることで良好な受信が実現できるようになっている。
即ち、オープン状態のときの優先使用順位を、
ホイップアンテナ＞イヤホン型アンテナ＞通信優先のアンテナ
・・・（１）
と構成すると、電気的または機械的な、ホイップアンテナ伸長検出機能とイヤホン型アンテナ接続検出機能とにより、アンテナ使用可能状態が判別できる。従って、この構成順位では、ホイップアンテナが収納でイヤホン型アンテナが未接続の場合にのみ、通信優先のアンテナを携帯電話アンテナ用のダイポールアンテナとして使用することになる。
【００２８】
一方、クローズおよびビューワ状態のときのテレビ放送受信用アンテナの優先使用順位を、
ホイップアンテナ＞ループアンテナ                          ・・・（２）
と構成すると、ホイップアンテナが収納状態ではループアンテナを使用することになる。
【００２９】
例えば、図５に示す表において、４）の構成（オープン状態）の場合、Ｗ−ＣＤＭＡが通信動作する場合でテレビ放送受信を行っているときには、第２アンテナ４２でのＷ−ＣＤＭＡ受信信号強度があらかじめ設定された強度よりも高い場合、例えば受信信号強度を示すアンテナバーが２本以上の時には、Ｗ−ＣＤＭＡ通信には、第４アンテナ４４を用いる。しかしながら、本来割り当てられるべき第２アンテナ４２がＷ−ＣＤＭＡ通信用として必要な場合、すなわち受信信号強度を示すアンテナバーが１本以下（受信信号強度が弱い場合）では、テレビ放送受信用として、「ホイップアンテナ(第１アンテナ４１)を伸ばすか、イヤホン型アンテナ(第３アンテナ４３)を接続する」ことを促す内容を液晶表示部１２に表示し、第２アンテナ４２は通信用で優先的に使用する。このとき、ＴＶ受信機にはＷ−ＣＤＭＡ信号が干渉するため、十分な感度が確保できなくなるおそれがあるので、ＴＶ受信機にＷ−ＣＤＭＡ信号を除去するフィルタ８を配置しており、感度低下を緩和することができる。
【００３０】
なお、本実施形態では、携帯電話機の形態がオープン状態、クローズ状態及びビューワ状態のいずれの状態においても、上記した構成により、イヤホン型アンテナが装着されていない状況や、ホイップアンテナが収納した状態でも、必ず１系統以上のアンテナが機能する構成を取ることができることから、いつでも、確実で安定した受信が実現できる。
【００３１】
［第２の実施形態］
次に、本発明の第２の実施形態について、図６を用いて説明する。なお、本実施形態において、第１の実施形態と同一部分に同一符号を付して重複説明を避ける。
本実施形態では、図６に示すように、図２に示す第1の実施形態と異なり、第１選択スイッチ６１の替わりに、第３選択スイッチ６３を設けている。
【００３２】
本実施形態の第３選択スイッチ６３は、２入力１出力のものを２組並列的に用いた構成となっている。即ち、この第３選択スイッチ６３は、第１アンテナ４１と第２アンテナ４２とをフィルタ８を介してテレビ受信部９に同時に接続するか、第２アンテナ４２と第３アンテナ４３とをフィルタ８を介してテレビ受信部９に同時に接続するかのいずれかの状態とするため、いずれか一方の状態に選択的に切り替えるものである。
【００３３】
従って、図５に示す表１により、選択可能なアンテナは、４）と８）の構成以外では、複数アンテナが選択可能である。例えば、テレビ受信部９が２ブランチのダイバーシチテレビ受信機である場合は、携帯電話機の形態で使用可能なアンテナによりダイバーシチ受信を行うことで、安定した受信特性が確保できる。このように、使用するアンテナ選択は、第３のアンテナ選択スイッチ６３を２入力１出力として２組用いることで、２ブランチのアンテナを構成できる。
【００３４】
ダイバーシチで使用するアンテナの優先使用順位を、例えばオープン状態では、前述したように、
ホイップアンテナ＞イヤホン型アンテナ＞通信優先のアンテナ
・・・（１）
とすると、（Ｉ）ホイップアンテナが伸長でイヤホン型アンテナが接続されていることを検出すると、ホイップアンテナとイヤホン型アンテナの組み合わせでダイバーシチを行う。（ＩＩ）また、ホイップアンテナが伸長でイヤホン型アンテナが未接続では、ホイップアンテナと携帯電話アンテナの組み合わせでダイバーシチを行う。（ＩＩＩ）さらに、ホイップアンテナが収納でイヤホン型アンテナが接続では、イヤホン型アンテナと携帯電話アンテナの組み合わせでダイバーシチを行う。（ＩＶ）さらに、ホイップアンテナが収納でイヤホン型アンテナが未接続、すなわち表１の４）の構成では、通信優先のアンテナである携帯電話アンテナのみで単ブランチで受信を行う。
【００３５】
次に、表１の４）の構成の場合では、Ｗ−ＣＤＭＡによる通信動作において、あらかじめ設定された受信信号強度が高い場合、たとえば、受信信号強度を示すバーが２本以上の時には、第４アンテナ４４を用いる。しかし、本来割り当てられるべき第２アンテナ４２がＷ−ＣＤＭＡによる通信に必要な場合、すなわち受信信号強度を示すバーが１本以下（受信信号強度が弱い場合）では、第１の実施形態と同様に、テレビ放送受信用アンテナとして「ホイップアンテナ(第１アンテナ４１)を伸ばすか、イヤホン型アンテナ(第３アンテナ４３)を接続する」ようにマークまたは文字で液晶表示部１２又はテレビ画面上に表示し、第２アンテナ４２は通信機能で優先的に使用する。このとき、テレビ受信部９には、Ｗ−ＣＤＭＡ信号が干渉するため、十分な感度が確保できなくなる場合があるが、テレビ受信機にＷ−ＣＤＭＡ信号を除去するフィルタ８を配置し、感度低下を緩和することができる。これにより、単ブランチで受信を継続する。
【００３６】
次に、テレビ放送受信用としてダイバーシチで使用するアンテナの優先使用順位を、クローズ状態およびビューワ状態では、
ホイップアンテナ＞ループアンテナ＞イヤホン型アンテナ
・・・（３）
とすると、（Ｉ）ホイップアンテナが伸長を検出すると、ホイップアンテナとループアンテナの組み合わせでダイバーシチを行う。（ＩＩ）ホイップアンテナが収納でイヤホン型アンテナが接続では、イヤホン型アンテナとループアンテナの組み合わせでダイバーシチを行う。（ＩＩＩ）ホイップアンテナが収納でイヤホン型アンテナが未接続すなわち表１の８）の構成では、ループアンテナのみで単ブランチで受信を行う。
表１の８）の構成の場合では、「ホイップアンテナを伸ばすか、イヤホン型アンテナを接続する」ことを促す内容またはマークを液晶表示部１２に表示し、ホイップアンテナ(第１アンテナ４１)を伸ばすか、イヤホン型アンテナ（第３アンテナ４３）の接続が行われない場合には、単ブランチで受信を継続する。
【００３７】
従って、本実施形態によれば、上記構成により、クローズ状態では携帯電話アンテナをループアンテナに変化させることで、１ｓｅｇ ＤＴＶでは、少なくとも１系統のアンテナにより受信が可能であり、２系統のアンテナが選択可能な場合には、ダイバーシチ受信をすることで、安定した受信を行うことが可能となる。
【００３８】
なお、本発明は上述した実施形態に何ら限定されるものではなく、その要旨を逸脱しない範囲において種々の形態で実施し得るものである。
【産業上の利用可能性】
【００３９】
本発明の携帯受信装置は、テレビ専用アンテナ以外に携帯電話用アンテナを併用することができるとともに、携帯電話アンテナは筐体がオープン状態、クローズ状態及びビューワ状態の場合で形状を変化させることができ、常にアンテナが１つ以上使用できる状態を保つので、様々な使用状態において良好な受信品質を確保でき、かつ、小型化が実現できるという効果を有し、テレビ機能を搭載する折畳式の携帯電話機などに有用である。
【図面の簡単な説明】
【００４０】
【図１】本発明第１の実施形態に係るＴＶ機能内蔵の折畳式の携帯電話機におけるアンテナの構成を示す概略図
【図２】その携帯電話機におけるアンテナの構成を示すブロック図
【図３】その携帯電話機の使用状態を示すものであり、（Ａ）はオープン状態でのアンテナを示す概略構成図、（Ｂ）はクローズ図／ビューワ状態でのアンテナを示す概略構成図
【図４】その携帯電話機の使用状態を示すものであり、（Ａ）はオープン状態の筐体を示す概略平面図、（Ｂ）はクローズ状態の筐体を示す平面図、（Ｃ）はビューワ状態の筐体を示す平面図
【図５】本発明に係る携帯電話機の各アンテナの使用形態の組み合わせを示す表
【図６】本発明第２の実施形態に係るダイバーシチ受信機の構成を示す概略図
【図７】従来の携帯電話機のアンテナ構成を示す構成図
【符号の説明】
【００４１】
１  第１筐体（上部筐体）
１１、２１  ショート電極
２  第２筐体（下部筐体）
４１  第1アンテナ（ホイップアンテナ）
４２  第２アンテナ（通信用アンテナ）
４３  第３アンテナ（イヤホン型アンテナ；外部アンテナ）
４４  第４アンテナ（逆Ｆアンテナ）
６１Ａ  外部アンテナ端子
５１  第1給電手段
５２  第２給電手段（給電手段）
５３  第３給電手段（給電手段）
５４  第４給電手段
５５  第５給電手段
６１  第1選択スイッチ（選択手段）
６２  第２選択スイッチ（選択手段）
６３  第２選択スイッチ（選択手段）
７  携帯電話部
８  フィルタ
９  テレビ受信部
【図１】
2007074491.tif 000003
【図２】
2007074491.tif 000004
【図３】
2007074491.tif 000005
【図４】
2007074491.tif 000006
【図５】
2007074491.tif 000007
【図６】
2007074491.tif 000008
【図７】
2007074491.tif 000009